(57)【要約】【課題】立体裁断した布製等のパーツを用いなくとも立体的な形状のものとすることができ、しかも焼却をした場合にも有害物質の発生がない人形を提供する。【解決手段】布地を袋状に縫製し、当該袋状部内に焼却時に有害物質が発生しない充填物を充填し、前記袋状の布地の開放端部に頭部を取り付け、前記袋状の布地の外周面に紙などの薄いものが収納できるポケットが形成されている。上記構造からなる一の人形と、上記構造からなる他の人形とからなる一組の人形をセットにし、一組の人形の一方を納棺用品としての副葬用とし、他方の人形を手元に残す保管用とする。また、上記構造からなる一の人形と、上記構造からなる２以上の他の人形とからなる一組の人形をセットにし、一組の人形の一方及び他方の少なくとも一つを納棺用品としての副葬用とし、他方の人形の残りを手元に残す保管用とする。【選択図】図１１
2006043213.tif 000002
【特許請求の範囲】
【請求項１】
布地を袋状に縫製し、当該袋状部内に焼却時に有害物質が発生しない充填物を充填し、前記袋状の布地の開放端部に頭部を取り付けた人形であって、前記袋状の布地の外周面に紙などの薄いものが収納できるポケットが形成されていることを特徴とする人形。
【請求項２】
請求項１に示す構造からなる一の人形と、請求項１に示す構造からなる他の人形とからなる一組の人形をセットにし、前記一組の人形の一方を納棺用品としての副葬用とし、他方の人形を手元に残す保管用とすることを特徴とする請求項１記載の人形セット。
【請求項３】
請求項１に示す構造からなる一の人形と、請求項１に示す構造からなる２以上の他の人形とからなる一組の人形をセットにし、前記一組の人形の一方及び他方の少なくとも一つを納棺用品としての副葬用とし、他方の人形の残りを手元に残す保管用とすることを特徴とする請求項１記載の人形セット。
【発明の詳細な説明】
【技術分野】
【０００１】
本発明は、例えば布製からなる人形であって、特に葬儀用品として使用することができる人形に関する。
【背景技術】
【０００２】
従来の人形として、布製のおもちゃとしてのぬいぐるみ人形や、プラスチックなどの材料を成形型に射出成形したようなものなどがある。
【発明の開示】
【発明が解決しようとする課題】
【０００３】
布製のぬいぐるみ人形では、おもちゃとしての体裁を保つために、ぬいぐるみ人形の主として外面を構成する布地などを、これらを縫い合わせた際に立体的なぬいぐるみ人形となるような形状に、いわゆる立体裁断する必要があるので、材料の歩留りが悪くなる。また、立体裁断された布製パーツを縫い合わせるために、特殊な縫製機械や特殊な技能を持った作業者が必要となり、製造期間やコストの面で不利である。
【０００４】
プラスチックなどの射出成形品では、製造は比較的容易であるが、廃棄する場合に不燃ゴミとなるものが多く、廃棄物の最終処分地の確保や、焼却による場合によるにはダイオキシン等の有害ガス（有害物質）の発生も懸念される。
【０００５】
本発明は係る事情に鑑みてなされたもので、立体裁断した布製等のパーツを用いなくとも立体的な形状のものとすることができ、しかも焼却をした場合にも有害物質の発生がない人形を提供することを目的とする。
【課題を解決するための手段】
【０００６】
本発明の請求項１記載の人形は、布地を袋状に縫製し、当該袋状部内に焼却時に有害物質が発生しない充填物を充填し、前記袋状の布地の開放端部に頭部を取り付けた人形であって、前記袋状の布地の外周面に紙などの薄いものが収納できるポケットが形成されていることを特徴とする。
【０００７】
本発明の請求項２記載の人形セットは、請求項１に示す構造からなる一の人形と、請求項１に示す構造からなる他の人形とからなる一組の人形をセットにし、前記一組の人形の一方を納棺用品としての副葬用とし、他方の人形を手元に残す保管用とすることを特徴とする。
【０００８】
本発明の請求項３記載の人形セットは、請求項１に示す構造からなる一の人形と、請求項１に示す構造からなる２以上の他の人形とからなる一組の人形をセットにし、前記一組の人形の一方及び他方の少なくとも一つを納棺用品としての副葬用とし、他方の人形の残りを手元に残す保管用とすることを特徴とする。
【発明の効果】
【０００９】
本発明の請求項１記載の人形によれば、袋状に縫製された布地の袋状部内に充填物を充填し、袋状の布地の開放端部に頭部を取り付けているので、立体的な人形を得ることができる。布地や充填物は焼却しても有害物質を発生させることがない。さらに、袋状の布地の外周面に形成されたポケットに手紙やメモのような薄い紙などを収納することができる。
【００１０】
本発明の請求項２記載の人形セットによれば、一組の人形の一方を納棺用品としての副葬用とし、他方の人形を手元に残す保管用とすることができる。
【００１１】
本発明の請求項３記載の人形セットによれば、一組の人形の一方及び他方の少なくとも一つを納棺用品としての副葬用とし、他方の人形の残りを手元に残す保管用とすることができる。
【発明を実施するための最良の形態】
【００１２】
本発明の一実施の形態に係る人形及び人形の製作手順について、図面を参照して説明する。
【００１３】
本発明の実施の形態に係る人形を製作する材料は以下の通りである。なお、以下の（１）〜（１０）までは人形一体に要する材料であり、各２体分用意する。また、（１１）〜（１４）又は（１５）〜（１６）は各人形のそれぞれについて必要とする材料である。
（１）直径３ｃｍ程度の綿球（人形の顔の充填物となるもの）１個、
（２）白羽二重薄絹からなる布地（１０ｃｍ×１０ｃｍ）（人形の顔となるもの）１枚、
（３）ピンク、赤、黄色などの色付きの正絹やちりめんなどからなる布地（１０ｃｍ×１０ｃｍ）（人形の頭巾となるもの）１枚、
（４）白羽二重の薄絹からなる布地（１７ｃｍ×１３ｃｍ）（人形の羽衣ケープとなるもの）１枚、
（５）オーガンジーリボン（幅５ｃｍ×８〜１０ｃｍ）（人形の羽根となるもの）１枚、
（６）綺麗な柄や模様が表された絹布や麻布や木綿布などからなる布地（１７ｃｍ×１３ｃｍ）（人形の胴体となるもの）１枚、
（７）胴体となるものと同じ布地（１７ｃｍ×７ｃｍ）（人形のポケットになるもの）１枚、
（８）竹串（長さ８．５ｃｍ程度で太さは適宜のもの）（人形の頭部を支えるもの）１本、
（９）米（人形の胴体の充填物となるもの）５０グラム、
（１０）鷹の爪（唐がらし）（充填物たる米の虫食いを防止するためのもの）小片２〜３片、
（１１）ローソク（太さ５ｍｍぐらいで長さ５ｃｍ程度のもの）（一方の人形に装着するもの）１本、
（１２）ビーズ粒（一方の人形のネックレスになるもの）複数個
（１３）半切りの半紙（一方の人形のポケットに収納するメッセージを記載するためのもの）１枚
（１４）ビーズ粒（他方の人形のネックレスになるもの）複数個（２個分）
（１６）半切りの半紙（他方の人形のポケットに収納するメッセージを記載するためのもの）１枚
【００１４】
図１（ａ）〜（ｃ）に示すように、直径３ｃｍ程度の綿球１を、白羽二重薄絹からなる布地２の中央部に配置し、綿球の周りを糸Ａと針Ｂとにより縫う。この縫った糸Ａをたぐり寄せて布地２を絞って、図１（ｄ）に示すように、いわゆるてるてる坊主の形状とする。縫い縮めた部分２ａよりも５ｍｍ程度離れた部分をはさみＣで切断し、図１（ｅ）に示すような球形の布地２とこれから突出する端部２ｂとを有する形状とする。
【００１５】
ピンク、赤、黄色などの色付きの正絹やちりめんなどからなる布地３を、図２（ａ）の１点鎖線で示すように対角線で折り曲げて三角形状にする（図２（ｂ）参照）。この三角形状にした布地３は、球形の布地２から突出する端部２ｂの上を覆うように配置される（図２（ｃ）参照）。
【００１６】
図２（ｂ）に示すように、球形の布地２の図中下部に竹串８の先端部を突き刺す。さらに図２（ｃ）に示すように、三角形とした布地３を球形の布地２に布地２の一部が露出する状態で、かつ、球形の布地２から突出する端部２ｂの上を覆った状態で配置する。布地２から突出する端部２ｂを頂部付近に位置させて布地３を覆うようにすると、布地３が外側にとがった形状となって、頭巾として好ましい綺麗な形状になる。図２（ｃ）に示すように、はりＢと糸Ａと使って、布地２と布地３の境目を図示するように縫い合わせる。
【００１７】
図２（ｃ）に示すように、布地２を覆うことができなかった余分の端部付近の布地を竹串８の上部が覆われるように竹串８に沿って配置し、竹串８と布地２との境界部分に糸Ａをしっかりと巻き付けて布地２と竹串８とを固定する。竹串８の上部を覆うように配置された布地３の端部付近の裏側に木工用接着剤（木工用ボンド）を塗布して布地３と竹串８とをしっかりと固定する。なお、説明上、布地２と布地３との縫い合わせに次いで、布地３と竹串８との固定をするようにしたが、この両者の工程を逆に行う等の工程の変更は自由である。
【００１８】
上記製作工程において、布地２に竹串８を突き刺すのは、布地２などにより形成された人形の頭部の保持を確保するためである。したがって、後述する布地６や米９の充填量などの要因により、布地２などからなる頭部の保持が安定するようであれば、竹串８を用いなくてもよい。この場合、球状にした布地２に被せて縫い合わせた布地３の端部は、１．５ｃｍ〜２ｃｍ程度残してはさみなどで切り取ることが好ましい。
【００１９】
図３（ａ）に示すように竹串８に固定された布地３の端部付近を糸Ａで縛って端部を纏める。図３（ｂ）に示すように、布地２の露出部分にサインペンや絵の具などによって、人形の顔を描く。どのような顔を描いてもよいが、本例では、図示のように円弧状の口と、円弧状の目と、松葉状の髪の毛とを、黒色のサインペンで描いた。
【００２０】
図４（ａ）に示すように、例えばオーガンジーリボンなどからなるリボンを所望の長さ（８ｃｍ程度）に切断してリボン５を得る。リボン５の切断部分には三角形が連続した端部５ａを形成する。リボン５の材料としては薄くて透き通った布（レース状のもの）が好ましい。リボン５の中央部をはりＢと糸Ａで縫う。
【００２１】
図４（ｂ）に示すように、縫った糸Ａをたぐり寄せてリボン５を中央部で縫い縮め、縫縮部５ｂ形成する。このリボン５は、図４（ｃ）に示すように、前記布地２に被せられた布地３の背面部に、リボン５の中央部の縫縮部５ｂにおいて糸Ａで縫い付ける。
【００２２】
次に、人形の胴体部分の製作について説明する。まず、図５（ａ）に示すように、綺麗な柄や模様が表された絹布や麻布や木綿布などからなる布地６を用意する。さらに、図５（ｂ）に示すように、胴体となるものと同じ布地７を用意し、布地７の一辺を折り返して糸Ａと針Ｂで縫う。
【００２３】
図５（ｃ）に示すように、布地７を逆向きにするとともに裏返しにして、布地６の下部（約３ｃｍのところ）に糸Ａと針Ｂとにより縫い付ける。逆向きとは布地７の縫った一辺が布地６の下側に位置することを意味し、裏返しとは、１辺の折り返し部分が表側に位置するようにという意味である。これは、後述するように布地６を裏返しにした場合に布地７の模様面が外側になるようにするためである。
【００２４】
次に、図６（ａ）に示すように、布地６に縫い付けられた布地７を図中情報に折り返す。２体一組の人形の一方（保管用又は副葬用）については、図６（ｂ）に示すように、布地７の中央部上部付近のみを糸Ａと針Ｂとにより布地６と布地７とが一体になるように縫い合わせる。２体一組の人形の他方（副葬用）については、布地７の中央部から約１ｃｍ程度離れた部分を糸Ａと針Ｂとにより布地６と布地７とが一体になるように幅が１ｃｍ程度で高さが３ｃｍ程度のコ字状に縫い合わせる。これにより上部が開放されたポケット７ａが形成される。
【００２５】
次に、図７（ａ）に示すように、布地７が縫い付けられた布地６を、布地７が内側になるように２つ折りし、端部どうしを端部から約０．８ｃｍ程度離れた位置を糸Ａと針Ｂとにより縫い合わせ、布地６及び布地７を筒状に形成する。
【００２６】
図７（ｂ）に示すように、筒状に形成した布地６の底部を端部から約０．５ｃｍ程度離れた位置を糸Ａと針Ｂとにより縫い合わせ、布地６を袋状に形成する。
【００２７】
さらに、図７（ｃ）に示すように、袋状にされた布地６を裏返しにする。これにより、布地６の表側に布地７によりポケットが形成された袋状の布地６が形成される。筒状とされた内側に米９を５０グラム程度充填して円筒状の外観を保持させる。同時に防虫用の鷹の爪（唐がらし）の小片を２〜３片米の中に混入させる。なお、図７（ｃ）に示すものは、２体一組の人形の他方（副葬用）について図示するが、他の一方（保管用又は副葬用）の人形においても同様である。なお、米は充填材として入手しやすく安価であるので採用したが、穀類や豆類などの粒状物などの他の材料を使用することができる。
【００２８】
図８（ａ）に示すように、筒状の布地６の上端部から約０．５ｃｍ程度離れた部分を糸Ａと針Ｂとにより円周状に縫い、糸Ａをたぐり寄せることにより布地６の上部を縮める。次いで、図８（ｂ）に示すように、縮められた布地６の開口部から頭部としての布地２が固定された竹串８を挿入し、竹串８及び布地２が筒状の布地６の中央部になるように位置調整する。
【００２９】
図９（ａ）に示すように、布地６の上部を縫った糸Ａをさらにたぐり寄せて布地６の上端部を絞って布地３などがしっかりと覆われるようにする。この後、布地６の上端部付近に糸を布地６及び布地３を貫通させ裏側に通るように、角度を変えて何度か縫う。これにより、布地６に布地２及び布地３などからなる頭部をしっかりと固定する。以上と同様な手順により２体一組の人形の一方（保管用又は副葬用）についても同様な手順により、図９（ｂ）に示すように、製作される。
【００３０】
次に、図１０に示すように白羽二重の薄絹からなる布地４を用意する。布地４の４隅を円弧状にはさみで切り取る。なお、４隅は切りっぱなしでかがり縫いなどの縫製は行わない。布地４の上辺から約２．５ｃｍのところを糸Ａと針Ｂとにより縫う。糸Ａをたぐり寄せることにマント状形状とする。このマント状形状の糸Ａのたくり寄せで絞られた部分を、図９（ａ）及び（ｂ）の布地６の上部と布地３などからなる頭部との境目に巻き付けて、糸Ａを前面で結んで布地４を取り付ける。絞られた部分は折り返して当該境目を覆うように配置する。
【００３１】
次に、図１１（ａ）に示すように、複数個のビーズ粒１４を糸に通して環状に形成するとともに、同様にビーズ粒１４を糸に通して環状に形成する。このように、環状に形成された２つのネックレス状のものを、図示するように２体一組の人形の一方の右胸に相当する部分に糸で取り付ける。布地７により形成されるポケットには、半切りの半紙にメッセージなどを記載して収納する。
【００３２】
また、２体一組の人形の他方には、図１１（ｂ）に示すように、ポケット７ａにローソク１１が収納される。また、複数個のビーズ粒１２を糸に通して環状に形成し、人形の首に掛ける。布地７により形成されるポケットには半切りの半紙にメッセージなどを記載して収納する。
【００３３】
なお、人形を作成する材料は特に限定するものではなく、焼却した際に有害物質の発生が少ない適宜の材料を採用することができる。また、人形を構成する各パーツは必要に応じて省略したり、別のパーツを追加してもよい。
【００３４】
本発明の実施の形態に係る人形及び人形セットの販売や譲渡などに際しては、以下のような使用説明書を添付することが好ましい。
【００３５】
（使用説明書）
本製品である葬儀用人形は、「導き天使」と「再会天使」とからなる。これらの２種類の天使に見立てた人形によって死者の冥福を祈り、残された家族や友人などに心の慰めと再会の希望を与えることを目的としている。
【００３６】
葬儀用人形「導き天使」と「再会天使」は、綿球を白羽二重の絹布で包み、頭巾をかぶせて、胴体にはポケットを持ち、羽衣ケープと称するケープを纏い、胴体の中にはお米を入れ、「導き天使」は、長さ５ｃｍの蝋燭を持ち、首からネックレスのような「許しのビーズ」を掛けている。「再会天使」は蝋燭を持たない分ポケットの容量が大きく、左胸に「思い出ビーズ」の輪を２つ重ねて持っている。通常「導き天使」は１体で、「再会天使」は２体一組で構成される。
【００３７】
葬儀用人形「導き天使」と「再会天使」の一方の一つとは、葬儀の際に、納棺時にお棺の中に入れられ、「再会天使」の他方の一つは手元に残すものであり、そのことにより、死者に愛惜の情を伝え、残された家族、親類、友人などが、心の慰めを得ようとするものである。「導き天使」と「再会天使」には、それぞれ、設定と演出がなされており、それが本製品の中核をなすものである。
【００３８】
「導き天使」のポケットには、死者に伝えたい言葉を書いて入れる。また、一方の納棺される「再会天使」のポケットには、納棺時に会葬者が自分の名前を書き、再会したときに言いたい言葉を書いて入れ、他方の手元に残す「再会天使」のポケットには死者の名前を書き、死者を懐かしむ言葉を書いて入れる。
【００３９】
「導き天使」は、死者を天国まで導いて行き、残された者のメッセージを携えて天国まで同行するという演出である。
【００４０】
「再会天使」は、２つ一組で一人（双子）という設定であり、死者の持っていった「再会天使」の片割れの「再会天使」を手元に残すことで、死者に再びまみえる日までの希望を繋ぐという、共に死者との繋がりを持つという演出である。
【００４１】
死者との別れが、「これでもう、永遠の別れなのだ」という峻険な感情を少しでも和らげ、「いつかまた会えるね」という希望を繋ごうとするものである。
【００４２】
「導き天使」と「再会天使」は、上述したように、故人のお棺の中に入れて副葬品として使う天使の人形であって、葬儀に当たって故人をよりよく葬送し、残された家族、親類、友人などが、また、いつの日にか再会するという希望と慰めを持つためのものである。
【００４３】
この葬儀用人形は、「天使」といっても、西洋の絵画や彫刻に見られるような、ケルビムやキューピッドのようなエンジェルではなく、宗教を超えたシンプルな形をした「神の使い」であり、愛らしく、小さく、悲しみを和らげる演出をする。人形は簡単であり全て手作りである。手作りであるので量産はできないが、そのためかえって、わが国においては、作業が簡単なこと、社会的福祉的意味合いと共に、葬儀を積極的な、生産企業として発展させてゆくことを可能とする予見を持つことができる。
【００４４】
葬儀は、人間がこの世に生を受けた時から、誰しもがかならず約束されている人生の終着点である。その様式は国により、宗教により、また、個人の意思や思想によって様々であるが、国や人種や宗教を超えて共通な点は、故人を如何に良い境地に送り、懐かしい故人と再び会いたいと言う残された者たちの、願いと慰めと希望を如何に満足させるかということではないでしょうか。
【００４５】
このように、葬儀の根源的な意味を考えてみると、わが国においては特に、宗教者が葬儀を執り行うことによって、「戒名料」などの名目で、多大な費用のかかることもさることながら、独占的な市場としての葬儀が、ささやかな、温かみのある葬儀を行うことを難しくしていることも事実であろう。
【００４６】
本製品であるシンプルで愛らしい「天使」の人形を用い、その設定と演出によって、葬儀も、故人の冥福を祈り、残された者に希望と慰めが得られるようにすることは大いに可能である。
【００４７】
「導き天使」は、故人の肩にとまり、天国までの道案内をする。故人が間違った方向に行きかけると、正しい方向を耳元で囁き、明るい蝋燭で足元を照らし、天国へと導く。残された家族や親しい人たちの悲しい泣き声を、美しく明るい歌声にして故人の耳元で歌うので、故人は暗い道筋を通る時も導き天使と共に、寂しい思いをせず、恐ろしい思いもせずに、天国まで行き着くことができる。
【００４８】
また、「導き天使」の首にさがっている「許しのビーズ」によって、この世で犯した罪や、人に対して抱いていた怒りや憎しみなどの総てについて、「人を許し、自分をも許し、平和な光に包まれて」この世に悔いを残すことなく真っ直ぐに天国まで行き着くことができる、という設定である。
【００４９】
「再会天使」は、２つ一組で一人（双子）であって、どんなに離れていても、いつも同時に同じ事を考え、いつかは必ず一体となって、再会したいと願う人を必ず再会させなければならないという使命がある。「再会天使」の一方をお棺の中に入れ、他方の「再会天使」を手元に残す。お棺に入れる「再会天使」のポケットには自分の名前を書いた紙を入れ、手元に残す「再会天使」のポケットには故人の名前を書いた紙を入れる。残された家族や、親しい者の手元に残った「再会天使」に話しかけると、それは、あちらの天国に行って待っている双子の天使である「再会天使」を通じて故人に対して懐かしい、楽しい言葉として伝えられる。
【００５０】
天使は良いことや、楽しいことしか伝えられないので、悪いことや、唯ひたすら悲しいといったことは伝えられない。「再会天使」が持っているのは、「思い出ビーズの輪」で、二人の共通の思い出をビーズに託して２つの輪にして持っている。再会の日に、この「思い出ビーズの輪」を１つずつ交換して分け合うという設定である。
【００５１】
「導き天使」と「再会天使」の設定と、演出は以上である。この天使はあくまでも、死者を葬送するときに死者と残された親類や、友人などの心の慰めとなるように演出され、設定されたものである。
【００５２】
そして、手元に残された「再会天使」は、その「再会天使」の持ち主が亡くなったときに、その人のお棺の中に入れられる。この行為により、亡くなった人のお棺に入れられた「再会天使」が、先に亡くなった人のお棺に入れた「再会天使」と天国で再会するという演出となり、「再会天使」を手元に残していた人の気持ちが完結する。
【００５３】
これまでは、１体の「導き天使」と２体一組の「再会天使」とにより構成した例を説明したが、以下のような構成であってもよい。
【００５４】
「導き天使」１体に対して、「再会天使」は３以上用意されてもよい。この場合、１体の「導き天使」と１体の「再会天使」がお棺の中に納棺される。納棺される「再会天使」以外の「再会天使」は、再会を願う人が少なくとも１体を手元に残す。したがって、「再会天使」の数は２体である場合もあれば、５体、１０体の場合もあれば、極端な例では１００体とか２００体とかいう多数の場合もあり得る。
【００５５】
このような場合には、２〜５体に一つぐらいの割合で、「再会天使」をお棺の中に入れることが好ましい。これは、半紙半分の大きさの紙にメッセージと名前を書けるのがだいたい２〜５名ぐらいだろうと推定されるからである。お棺の中に入れられる「再会天使」は２〜５名分ぐらいのメッセージを携えて行き、会葬者のうちで故人との再会を願う者は、故人の名前と故人への思いを書いたメッセージをポケットにいれた「再会天使」を手元に残すという設定である。
【００５６】
いずれにせよ、「導き天使」と「再会天使」は最終的にお棺の中で燃やされるものであるから、材料は総て天然自然のもの（例えば綿球やシルクの布、胴体内の米など）を使用し、プラスチックなどの石油製品で、燃えて有毒ガスを出すようなものは、一切使用していない。
【００５７】
また、これまで、葬儀業を営んできたものたちは、それぞれの儀式としてのノウハウを持ち、客の希望する宗教で執り行ってきた。特定の宗教団体などで行われる葬儀は、「戒名料」、「お布施」、「献金」などの名目で、多額の金銭を支払うことは、やむを得ないことであった。我が国では、結婚式は神式、もしくは、キリスト教の教会で行い、葬式は仏式でといった宗教的には全く節度がないことが、日常的に行われており、今後日本が、世界的な潮流の中で、葬儀のあり方も問われることになろうと思われる。２１世紀は、精神的なものが重用されると思われるが、「戒名料」の多寡によって死後の世界の階級に上下があるかのような馬鹿らしいことを本気で信じている人は誰も居ないのであって、「戒名料」「お布施」「献金」などの名目で多額の金銭を要することは、今後無くなっていくであろうと思われる。
【００５８】
しかしながらセレモニーとしての葬儀は、人間が人間である限り、廃れていくころはあるまい。此処に、人間としての自然な感情として、死者を悼み、親しい者が心の慰めを得るという葬儀の根本的な意味を問い直し、簡素化し、象徴化したものが、本製品である「導き天使」と「再会天使」なのである。
【００５９】
葬儀に関してこれまではあまり変化はなく、生まれてきた者は等しく必ず誰しもが死ぬという意味での普遍的な、多大なニーズがあるにもかかわらず、生産的企業としては、積極的に捉えられず、そのように捉えることは、むしろ、タブー視されるような感さえあった。
【００６０】
それは、「死」というものが、「生」に対して否定的なものとして捉えられ、また、実際深い悲しみのうちに行われるセレモニーであるために、本来、生産的企業として、認識されにくいという面があったのではないかと思われる。
【００６１】
しかし、２１世紀に入り、あらゆる面で物事が変化し解明され、価値観の変化が起こって来ると、当然「死」というものの認識も、価値観の変化をきたすものと思われる。それに伴い悲しみのセレモニーにも、悲しいながらも明るい、将来に希望の光の感じられるものとして行うことができるのではないかと考えられる。
【００６２】
それは、ある人にとっては、笑止千万な馬鹿らしく単純な人形であっても、愛らしく、一筋の再会できるという希望の光をもたらす天使に託して、心の慰めとできるのではないかと思われる。
【００６３】
この人形が、単純で、宗教的にはっきりと限定された姿をもたないいわば正体不明のものであるため、かえって普遍的、根源的な天使として、人の死に関わるマイナスイメージを払拭し、悲しみのセレモニーに、「明るい」「希望」の光をともし、人の心の慰めをもたらすのである。
【００６４】
この人形が、宗教的に限定された姿をもたないために、どんな葬祭業者の、どんな宗教にも競合せず、納棺の際にメッセージをポケットに入れた天使の人形をお棺に入れるという、単純な作業を加えるだけで、人種、国境、宗教を超えた葬送の本質をより良く表現できる。
【００６５】
上記の事項を包括して象徴するこの人形によって、今後の葬送のセレモニーが、悲しみのうちにも明るい希望の光をともし、人々の心の慰めと深い安らぎを与えるセレモニーとなることを目的として、本製品である葬儀用人形とその用法が考案された。
【００６６】
また、死に関わる葬祭業が、多大なニーズを持つ積極的、かつ生産的企業として加速度的に発展させて行けるということも目的としている。
【００６７】
上述のように「死」という、生き物の持つ不変的で多大なニーズがあるにも関わらず、「生」に対する「死」を否定的に捉えるため、葬祭業が積極的、または、生産的企業として認識されにくいと言う点を挙げたとともに、手作りであるため、今のところ量産はできないが、その為にかえって今の我が国においては、製作作業が簡単なことも含め、社会福祉的意味合いと共に、葬儀を積極的な生産的企業として、発展させてゆくことを可能とする予見をもつに至ったと述べたことについて補足する。
【００６８】
我が国では少子高齢化が進み年金制度も充実せず、先般国会で年金法が見直されたが、高齢者の将来には、明るい希望というものがない。生活するには不十分な年金で、働いて収入を得る術も無く、不安に怯えながら心ならずも長生きしてしまう高齢者が数多くあるのを見聞きするにつけ、高齢者は社会の中で無用の者といった風潮を作ってしまうのではないかといったおそれを抱くものである。
【００６９】
また、この手作りの人形は、簡単であるし、愛らしいので、例えば、高齢者がグループを作って楽しみながら製作することにより工賃として収入を得るということには最適なものであると考える。このように手作り人形を高齢者に量産させることは、多くの高齢者に仕事を与え、収入を得る手段を与えるとともに、高齢者に社会の中での有用な人材であるという誇りをもたせることができる。
【図面の簡単な説明】
【００７０】
【図１】本発明の実施の形態に係る人形の製作工程を示す図である。
【図２】本発明の実施の形態に係る人形の製作工程を示す図である。
【図３】本発明の実施の形態に係る人形の製作工程を示す図である。
【図４】本発明の実施の形態に係る人形の製作工程を示す図である。
【図５】本発明の実施の形態に係る人形の製作工程を示す図である。
【図６】本発明の実施の形態に係る人形の製作工程を示す図である。
【図７】本発明の実施の形態に係る人形の製作工程を示す図である。
【図８】本発明の実施の形態に係る人形の製作工程を示す図である。
【図９】本発明の実施の形態に係る人形の製作工程を示す図である。
【図１０】本発明の実施の形態に係る人形の製作工程を示す図である。
【図１１】本発明の実施の形態に係る人形の製作工程を示す図である。
【符号の説明】
【００７１】
１      綿球
２      白羽二重薄絹からなる布地
３      ピンク、赤、黄色などの色付きの正絹やちりめんなどからなる布地
４      白羽二重の薄絹からなる布地
５      オーガンジーリボンなどのリボン
６      綺麗な柄や模様が表された絹布や麻布や木綿布などからなる布地
７      布地６と同じ布地
８      竹串
９      米
１１    ローソク
１２    ビーズ粒
１４    ビーズ粒
【図１】
2006043213.tif 000003
【図２】
2006043213.tif 000004
【図３】
2006043213.tif 000005
【図４】
2006043213.tif 000006
【図５】
2006043213.tif 000007
【図６】
2006043213.tif 000008
【図７】
2006043213.tif 000009
【図８】
2006043213.tif 000010
【図９】
2006043213.tif 000011
【図１０】
2006043213.tif 000012
【図１１】
2006043213.tif 000013